(57)【要約】【課題】簡単な構成でカバーの取り外し防止を図ることができる南京錠カバーを提供する。【解決手段】南京錠カバー１は、被係合物３の係合穴３４につる部分２１が挿通された状態で施錠される南京錠２をカバーする硬質金属製のものであり、南京錠２の少なくともつる部分２１を収容するための内部空間１５を形成する壁１０を有している。この壁１０には、被係合物３を挿通するための挿通口１３が設けられている。例えば、被係合物３は、車止め支柱４の撤去防止を図るための鍵部材である。【選択図】図１
2008184779.tif 000002
【特許請求の範囲】
【請求項１】
被係合物の係合穴につる部分が挿通された状態で施錠される南京錠をカバーする硬質金属製の南京錠カバーであって、
前記南京錠の少なくともつる部分を収容するための内部空間を形成する壁を有し、この壁には、前記被係合物を挿通するための挿通口が設けられていることを特徴とする南京錠カバー。
【請求項２】
前記壁は、前記内部空間を囲繞する筒状の周壁と、この周壁で構成される開口のうちの一方を塞ぐ底壁とを有し、前記挿通口は、前記周壁に設けられていることを特徴とする請求項１に記載の南京錠カバー。
【請求項３】
前記内部空間は、前記南京錠のつる部分と本体部分のうちのつる部分側の部分とを収容するための空間であり、
前記周壁は、前記内部空間内に前記南京錠の本体部分が差し込まれたときに、当該本体部分が回転不能に嵌り込む形状に形成されていることを特徴とする請求項２に記載の南京錠カバー。
【請求項４】
前記周壁および底壁は、前記南京錠のつる部分が前記内部空間内で前記被係合物の係合穴に挿通された状態であってその先端が本体部分に差し込まれる前の状態では、南京錠の本体部分が前記内部空間外に位置することが可能となり、本体部分を前記内部空間内に押し込む際には、つる部分が前記底壁に押し当てられることによりその先端が本体部分に差し込み可能となるように構成されていることを特徴とする請求項３に記載の南京錠カバー。
【請求項５】
前記周壁は、長方形枠状の断面形状を有しており、その長手方向で対向する一対の短壁部に前記挿通口が設けられていることを特徴とする請求項２〜４のいずれか１項に記載の南京錠カバー。
【請求項６】
前記被係合物は、車止め支柱の撤去防止を図るための鍵部材であることを特徴とする請求項１〜５のいずれか１項に記載の南京錠カバー。
【発明の詳細な説明】
【技術分野】
【０００１】
本発明は、南京錠をカバーする南京錠カバーに関するものである。
【背景技術】
【０００２】
従来、例えば車両等の通行を制限するための車止め装置では、地面から立ち上がる車止め支柱が不当に撤去されることを防止するために、地面に埋め込まれる地中構造物等と車止め支柱とを鍵部材で連結するとともに、この鍵部材に南京錠を取り付けることが行われている（例えば、特許文献１参照）。
【特許文献１】特開平７−１７３８０６号公報
【発明の開示】
【発明が解決しようとする課題】
【０００３】
ところが、南京錠はしんちゅう等の軟質金属で構成されているため、近年では南京錠のつる部分をニッパー等の工具で切断して、車止め支柱（総ステンレス製では、１本で数万円）が持ち去られる事件が起きている。このような事件を防ぐには、南京錠をステンレス等の硬質金属で構成することが考えられるが、この対策ではコストが高くなる。
【０００４】
安価な対策としては、南京錠をニッパー等の工具で切断できないように硬質金属製のカバーでカバーすることが考えられるが、カバーの取り外し防止をどのようにするかが問題となる。
【０００５】
本発明は、このような事情に鑑み、簡単な構成でカバーの取り外し防止を図ることができる南京錠カバーを提供することを目的とする。
【課題を解決するための手段】
【０００６】
請求項１の発明は、被係合物の係合穴につる部分が挿通された状態で施錠される南京錠をカバーする硬質金属製の南京錠カバーであって、前記南京錠の少なくともつる部分を収容するための内部空間を形成する壁を有し、この壁には、前記被係合物を挿通するための挿通口が設けられていることを特徴とするものである。
【０００７】
この構成によれば、壁で形成される内部空間内に南京錠の少なくともつる部分が収容されるようになっているので、つる部分がニッパー等の工具で切断されることを防止することができる。しかも、壁には被係合物を挿通するための挿通口が設けられているので、この挿通口から被係合物を前記内部空間内に差し込み、内部空間内で被係合物に南京錠を係合させれば、挿通口からの被係合物の抜き出しが南京錠で阻止されるようになる。すなわち、壁に挿通口を設けるだけの簡単な構成で、カバーの取り外し防止を図ることができる。
【０００８】
例えば、請求項２の発明のように、前記壁は、前記内部空間を囲繞する筒状の周壁と、この周壁で構成される開口のうちの一方を塞ぐ底壁とを有し、前記挿通口は、前記周壁に設けられている構成とすることができる。
【０００９】
請求項３の発明は、請求項２に記載の南京錠カバーにおいて、前記内部空間は、前記南京錠のつる部分と本体部分のうちのつる部分側の部分とを収容するための空間であり、前記周壁は、前記内部空間内に前記南京錠の本体部分が差し込まれたときに、当該本体部分が回転不能に嵌り込む形状に形成されていることを特徴とするものである。
【００１０】
この構成によれば、周壁が、前記内部空間内に南京錠の本体部分が差し込まれたときに、当該本体部分が回転不能に嵌り込む形状に形成されているので、周壁で構成される開口が南京錠の本体部分で十分に塞がれるようになる。従って、その開口から工具を差し込んで南京錠のつる部分を切断することをも防止することができる。
【００１１】
請求項４の発明は、請求項３に記載の南京錠カバーにおいて、前記周壁および底壁は、前記南京錠のつる部分が前記内部空間内で前記被係合物の係合穴に挿通された状態であってその先端が本体部分に差し込まれる前の状態では、南京錠の本体部分が前記内部空間外に位置することが可能となり、本体部分を前記内部空間内に押し込む際には、つる部分が前記底壁に押し当てられることによりその先端が本体部分に差し込み可能となるように構成されていることを特徴とするものである。
【００１２】
この構成によれば、周壁および底壁は、所定の状態では、南京錠の本体部分が前記内部空間外に位置することが可能となるように構成されているので、内部空間内で南京錠のつる部分を被係合物の係合穴に挿通した後に、本体部分をつる部分に対して回転させてつる部分の先端が差し込み可能な状態にすることができる。しかも、周壁および底壁は、本体部分を内部空間内に押し込む際には、つる部分が底壁に押し当てられることによりその先端が本体部分に差し込み可能となるように構成されているので、底壁でつる部分の先端を差し込む際の反力を得ることができる。
【００１３】
例えば、請求項５の発明のように、前記周壁は、長方形枠状の断面形状を有しており、その長手方向で対向する一対の短壁部に前記挿通口が設けられている構成とすることができる。
【００１４】
また、請求項６の発明のように、前記被係合物は、車止め支柱の撤去防止を図るための鍵部材である構成とすることもできる。
【発明の効果】
【００１５】
以上説明したように、本発明によれば、簡単な構成でカバーの取り外し防止を図ることができる。
【発明を実施するための最良の形態】
【００１６】
以下、本発明を実施するための最良の形態について、図面を参照しながら詳細に説明する。
【００１７】
図１に、本発明の一実施形態に係る南京錠カバー１を採用した車止め装置を示す。なお、本明細書では、説明の便宜のために、図１の左右方向を左右方向、図１の紙面と直交する方向を前後方向という。
【００１８】
前記車止め装置は、地面７に埋め込まれる埋設筒体５と、この埋設筒体５に揺動可能に取り付けられる蓋体６と、埋設筒体５内に差し込まれて地面７から立ち上がる車止め支柱４と、この車止め支柱４の撤去防止を図るための鍵部材（被係合物）３と、この鍵部材３に取り付けられる南京錠２と、この南京錠２をカバーする前記南京錠カバー１とを備えている。
【００１９】
前記鍵部材３は、円柱状の軸部３２と、この軸部３２の一端に連設される軸部３２よりも大径の略円形板状の頭部３１と、軸部３２の他端に連設される所定の厚みを有する板状の先端部３３とを有している。前記蓋体６と車止め支柱４には、それぞれ貫通孔６１，４１が設けられていて、これらの貫通孔６１，４１に鍵部材３の軸部３２が先端部３３側から挿通されることにより、蓋体６と車止め支柱４が鍵部材３によって連結されるようになっている。また、鍵部材３の先端部３３には、中央に当該先端部３３を板厚方向に貫通する円形状の係合穴３４が設けられている。
【００２０】
前記南京錠２は、正面視で略Ｕ字状のつる部分２１と、略矩形板状の本体部分２２とを有しており、つる部分２１が鍵部材３の係合穴３４に挿通された状態、すなわちつる部分２１が鍵部材３の先端部３３に係合した状態で施錠される。また、本体部分２２には、南京錠２が施錠される際につる部分２１の先端２１ａが差し込まれる差し込み穴２２ａが設けられている。なお、南京錠２としては、施錠方式が鍵式のものである必要はなく、ダイヤル式のものであってもよい。
【００２１】
前記南京錠カバー１は、硬質金属で構成された硬質金属製のものであり、下方に開放される内部空間１５を形成する壁１０を有している。内部空間１５は、施錠状態にある南京錠２のつる部分２１と本体部分２２のうちのつる部分側の部分とを収容するための空間である。
【００２２】
前記硬質金属としては、例えば、ステンレスや鉄等が挙げられ、壁１０は、これらの硬質金属からなる厚みが２〜３ｍｍ程度の板材で構成された溶接構造物である。
【００２３】
前記壁１０の大きさは、鍵部材３の姿勢および鍵部材３に対する南京錠２の係合姿勢がどのように変化しても、つる部分２１が内部空間１５の外にはみ出すことがない程度に設定されている。
【００２４】
壁１０は、具体的には図２に示すように、内部空間１５を囲繞する筒状の周壁１１と、この周壁１１で構成される開口のうちの一方を塞ぐ底壁１２とを有している。そして、周壁１１で構成される底壁１２で塞がれていない方の開口１４から、南京錠２が内部空間１５内に差し込み可能となっている。
【００２５】
周壁１１は、長方形枠状の断面形状を有しており、底壁１２は、周壁１１の延びる方向に直交する長方形板状をなしている。周壁１１の長手方向で対向する一対の短壁部１１ａ，１１ｂの間の距離は、南京錠２の本体部分２２の幅よりも十分に大きく設定されている一方、短手方向で対向する一対の長壁部１１ｃの間の距離は、南京錠２の本体部分２２の厚みよりもわずかに大きく設定されている。このため、内部空間１５内に本体部分２２が差し込まれると、本体部分２２が周壁１１の延びる方向に平行な線を中心として回転できなくなる。換言すれば、周壁１１は、内部空間１５内に本体部分２２が差し込まれたときに、当該本体部分２２が回転不能に嵌り込む形状に形成されている。
【００２６】
また、前記一対の短壁部１１ａ，１１ｂのうち右側の短壁部１１ａには、上下方向の中央よりもやや上側位置に鍵部材３の先端部３３を挿通するための挿通口１３が設けられている。この挿通口１３の前後方向の寸法は、先端部３３の幅（前後方向の寸法）よりも僅かに大きい程度に設定されているが、上下方向の寸法は、先端部３３の厚みに対して少し大きめに設定されている。このため、挿通口１３には、先端部３３を斜め上方から差し込むことができるようになっている（図３参照）。
【００２７】
さらに、周壁１１および底壁１２は、南京錠２のつる部分２１が内部空間１５内で鍵部材３の係合穴３４に挿通された状態であってその先端２１ａが本体部分２２に差し込まれる前の状態では、図４に示すように、鍵部材３に対して南京錠カバー１および南京錠２を傾ければ、南京錠２の本体部分２２が内部空間１５外に位置することが可能となり、本体部分２２を内部空間１５内に押し込む際には、つる部分２１が底壁１２に押し当てられることによりその先端２１ａが本体部分２２に差し込み可能となるように構成されている。
【００２８】
すなわち、周壁１１および底壁１２は、所定の状態では、南京錠２の本体部分２２が内部空間１５外に位置することが可能となるように構成されているので、内部空間１５内で南京錠２のつる部分２１を鍵部材３の係合穴３４に挿通した後に、本体部分２２をつる部分２１に対して回転させてつる部分２１の先端２１ａが差し込み可能な状態にすることができる。しかも、周壁１１および底壁１２は、本体部分２２を内部空間１５内に押し込む際には、つる部分２１が底壁１２に押し当てられることによりその先端２１ａが本体部分２２に差し込み可能となるように構成されているので、底壁１２でつる部分２１の先端２１ａを差し込む際の反力を得ることができる。
【００２９】
次に、南京錠２を鍵部材３に係合させる要領を説明する。
【００３０】
まず、図３に示すように、南京錠２の本体部分２２をつる部分２１に対して正規位置（つる部分２１の先端２１ａが差し込み穴２２ａに差し込み可能となる位置）から１８０°回線させた状態で、南京錠２を南京錠カバー１の内部空間１５内にセットする。このとき、つる部分２１の先端２１ａが挿通口１３の近傍上方に位置するようにする。
【００３１】
そして、挿通口１３から内部空間１５内に鍵部材３の先端部３３を差し込み、その後、南京錠２を図３において時計回りに回転するように傾けてつる部分２１の先端２１ａを先端部３３の嵌合穴３４に差し込む。
【００３２】
次いで、図４に示すように、南京錠２および南京錠カバー１を南京錠２の本体部分２２が内部空間１５外に位置する姿勢にして、本体部分２２をつる部分２１に対して回転させて正規位置にし、その後、本体部分２２を内部空間１５内に押し込んで、つる部分２１の先端２１ａを差し込み穴２２ａ内に差し込むとともに施錠する。
【００３３】
本実施形態の南京錠カバー１では、壁１０で形成される内部空間１５内に南京錠２のつる部分２１が収容されるようになっているので、つる部分２１がニッパー等の工具で切断されることを防止することができる。しかも、壁１０には鍵部材３の先端部３３を挿通するための挿通口１３が設けられているので、この挿通口１３から先端部３３を内部空間１５内に差し込み、内部空間１５内で鍵部材３に南京錠２を係合させれば、挿通口１３からの鍵部材３の抜き出しが南京錠２で阻止されるようになる。すなわち、壁１０に挿通口１３を設けるだけの簡単な構成で、カバーの取り外し防止を図ることができる。
【００３４】
また、本実施形態では、周壁１１が、内部空間１５内に南京錠２の本体部分２２が差し込まれたときに、当該本体部分２２が回転不能に嵌り込む形状に形成されているので、周壁１１で構成される開口１４が南京錠２の本体部分２２で十分に塞がれるようになる。従って、その開口１４から工具を差し込んで南京錠２のつる部分２１を切断することをも防止することができる。
【００３５】
なお、前記実施形態において、図５（ａ）に示すように、周壁１１の左側の短壁部１１ｂに南京錠２のつる部分２１が挿通可能なスリット１６を設けるようにしてもよい。このようにすれば、南京錠２を鍵部材３に係合させる際に、予め内部空間１５内に南京錠２をセットしておかなくても、挿通口１３に鍵部材３の先端部３３を挿通した後に南京錠２を内部空間内に差し込むことができるようになる。
【００３６】
また、図５（ｂ）に示すように、左側の短壁部１１ｂを省略してもよい。ただし、この場合には、南京錠２を図１において時計回りに回転させてもつる部分２１が内部空間１５内に留まるように壁１０の大きさが設定されていることが条件となる。
【００３７】
さらに、壁１０は、溶接構造物である必要はなく、鋳物であってもよい。この場合は、図６に示すように、底壁１２を上方に凸となるように湾曲する形状に形成することもできる。
【００３８】
さらには、周壁１１の断面形状は、長方形枠状である必要はなく、例えば楕円形枠状等であってもよい。
【００３９】
また、南京錠カバー１の内部空間１５内には、南京錠２の少なくともつる部分２１が収容されるようになっていればよく、壁１０の大きさは、内部空間１５内につる部分２１のみが収容される程度に設定されていてもよいし、内部空間１５内につる部分２１に加え本体部分２２の全体が収容される程度に設定されていてもよい。
【００４０】
また、挿通口１３を設ける位置は、短壁部１１ａに限らず、長壁部１１ｃや底壁１２に設けることも可能である。
【００４１】
また、本発明は、車止め装置以外にも、南京錠を用いる構造（例えば門扉等）に広く適用可能であり、被係合物は鍵部材３でなくてもよい。
【図面の簡単な説明】
【００４２】
【図１】本発明の一実施形態に係る南京錠カバーを採用した車止め装置の断面図である。
【図２】南京錠カバーを示す図であり、（ａ）は正面図、（ｂ）は右側面図、（ｃ）は下面図である。
【図３】ロックピンに南京錠を係合させる方法を説明する説明図である。
【図４】南京錠の本体部分につる部分を差し込む方法を説明する説明図である。
【図５】（ａ）（ｂ）は変形例の南京錠カバーの左側面図である。
【図６】変形例の南京錠カバーを示す図であり、（ａ）は正面図、（ｂ）は右側面図、（ｃ）は下面図である。
【符号の説明】
【００４３】
１    南京錠カバー
１０  壁
１１  周壁
１１ａ，１１ｂ  短壁部
１１ｃ  長壁部
１２  底壁
１３  挿通口
１４  開口
１５  内部空間
２    南京錠
２１  つる部分
２２  本体部分
３    鍵部材（被係合物）
３４  係合穴
４    車止め支柱
【図１】
2008184779.tif 000003
【図２】
2008184779.tif 000004
【図３】
2008184779.tif 000005
【図４】
2008184779.tif 000006
【図５】
2008184779.tif 000007
【図６】
2008184779.tif 000008